(57)【要約】【課題】熱膨張等にともなう光学シートのたわみ発生を、効果的に抑える光学シート及び保持装置の組み合わせ、面光源装置、表示装置を提供する。【解決手段】表示装置１は、光学シート１０が、上辺部１５の両端部にそれぞれ設けられた第１孔部１１及び第２孔部１２を備え、保持筐体２０が、第１孔部２１に挿通され、第１孔部１１の上側内側面１１Ｕ及び左側内側面１１Ｌに当接する第１保持部２と、第２孔部１２に挿通され、第２孔部１２の上側内側面１２Ｕに当接する第２保持部２２と、第２保持部２２の右側面２２Ｒと、第２孔部１２の右側内側面１２Ｒとの間に圧入され、光学シート１０の上辺部１５を左右方向Ｘに引っ張る上弾性部材２５とを備える。【選択図】図１
2012186076.tif 000002
【特許請求の範囲】
【請求項１】
透過表示部の背面に配置され、光源が縁部近傍に配置され、使用時に表面の法線方向が水平方向になるように配置される光学シートと、前記光学シートを保持する保持装置の組み合わせであって、
前記光学シートは、上辺部の両端部にそれぞれ設けられ、前記法線方向に貫通した第１孔部及び第２孔部を備え、
前記保持装置は、
前記第１孔部に挿通され、前記第１孔部の上側内側面及び左右方向外側の内側面に当接する第１保持部と、
前記第２孔部に挿通され、前記第２孔部の上側内側面に当接する第２保持部と、
前記第２保持部の左右方向外側の側面と、前記第２孔部の左右方向外側の内側面との間に圧入され、光学シートの前記上辺部を左右方向に引っ張る弾性部材とを備えること、
を特徴とする光学シート及び保持装置の組み合わせ。
【請求項２】
請求項１に記載の光学シート及び保持装置の組み合わせにおいて、
前記光学シートは、下辺部の両端部にそれぞれ設けられ、前記法線方向に貫通し、左右方向において前記第１孔部側に設けられた第３孔部、及び前記第２孔部側に設けられた第４孔部を備え、
前記保持装置は、
前記第３孔部に挿通され、前記第３孔部の左右方向外側の内側面に当接し、前記第３孔部の上側内側面との間に隙間を有する第３保持部と、
前記第４孔部に挿通され、前記第４孔部の内側面との間に隙間を有する第４保持部と、
前記第４保持部の左右方向外側の側面と、前記第４孔部の左右方向外側の内側面との間に圧入され、光学シートの前記下辺部を左右方向に引っ張る弾性部材とを備えること、
を特徴とする光学シート及び保持装置の組み合わせ。
【請求項３】
透過表示部の背面に配置され、光源が縁部近傍に配置され、使用時に表面の法線方向が水平方向になるように配置される光学シートと、前記光学シートを保持する保持装置の組み合わせであって、
前記光学シートは、上辺部の両端部にそれぞれ設けられ、前記法線方向に貫通した第１孔部及び第２孔部を備え、
前記保持装置は、
前記第１孔部に挿通され、前記第１孔部の上側内側面に当接する第１保持部と、
前記第２孔部に挿通され、前記第２孔部の上側内側面に当接する第２保持部と、
前記第１保持部の左右方向外側の側面と、前記第１孔部の左右方向外側の内側面との間、前記第２保持部の左右方向外側の側面と、前記第２孔部の左右方向外側の内側面との間にそれぞれ圧入され、光学シートの前記上辺部を左右方向に引っ張る弾性部材とを備えること、
を特徴とする光学シート及び保持装置の組み合わせ。
【請求項４】
請求項３に記載の光学シート及び保持装置の組み合わせにおいて、
前記光学シートは、下辺部の両端部にそれぞれ設けられ、前記法線方向に貫通した第３孔部及び第４孔部を備え、
前記保持装置は、
前記第３孔部に挿通され、前記第３孔部の内側面との間に隙間を有する第３保持部と、
前記第４孔部に挿通され、前記第４孔部の内側面との間に隙間を有する第４保持部と、
前記第３保持部の左右方向外側の側面と、前記第３孔部の左右方向外側の内側面との間、前記第４保持部の左右方向外側の側面と、前記第４孔部の左右方向外側の内側面との間にそれぞれ圧入され、光学シートの前記下辺部を左右方向に引っ張る弾性部材とを備えること、
を特徴とする光学シート及び保持装置の組み合わせ。
【請求項５】
請求項１から請求項４までのいずれか１項に記載の光学シート及び保持装置の組み合わせにおいて、
前記弾性部材は、ゴム部材であること、
を特徴とする光学シート及び保持装置の組み合わせ。
【請求項６】
請求項５に記載の光学シート及び保持装置の組み合わせにおいて、
前記光学シートは、重ね合わされて複数設けられ、それぞれが前記各貫通孔を備え、
前記保持装置の前記各保持部は、前記複数の前記光学シートの前記各貫通孔に挿通され、前記複数の前記光学シートの保持部を兼用すること、
を特徴とする光学シート及び保持装置の組み合わせ。
【請求項７】
請求項１から請求項６までのいずれか１項に記載の光学シート及び保持装置の組み合わせと、
前記光学シートの背面側に設けられた導光板と、
前記導光板の縁部近傍に配置され、前記導光板縁部側面に光を入光する光源と、
を備える面光源装置。
【請求項８】
請求項７に記載の面光源装置において
前記光源は、前記導光板の上側縁部近傍及び下側縁部近傍の少なくとも１つに配置されていること、
を備える面光源装置。
【請求項９】
請求項７又は請求項８に記載の面光源装置と、
前記光学シートの表面側に設けられた透過型表示部と、
を備える表示装置。
【発明の詳細な説明】
【技術分野】
【０００１】
本発明は、光学シート及び保持装置の組み合わせ、面光源装置、表示装置に関するものである。
【背景技術】
【０００２】
従来、バックライト等の発熱にともない熱膨張しても、左右方向等に伸縮できるようにして、たわみ発生を抑える光学シートが提案されていた（例えば特許文献１）。
しかし、従来の光学シートは、例えば、他の部材との摩擦等があれば伸縮が阻害され、たわみが発生してしまい、たわみ発生の効果が十分ではなかった。
【先行技術文献】
【特許文献】
【０００３】
【特許文献１】特開２００９−０４２６３３号公報
【発明の概要】
【発明が解決しようとする課題】
【０００４】
本発明の課題は、熱膨張等にともなう光学シートのたわみ発生を、効果的に抑える光学シート及び保持装置の組み合わせ、面光源装置、表示装置を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
第１の発明は、透過表示部の背面に配置され、光源が縁部近傍に配置され、使用時に表面の法線方向が水平方向になるように配置される光学シート（１０，３１０−１，３１０−２）と、前記光学シートを保持する保持装置（２０，３２０）の組み合わせであって、前記光学シートは、上辺部（１５，３１５）の両端部にそれぞれ設けられ、前記法線方向に貫通した第１孔部（１１，３１１−１，３１１−２）及び第２孔部（１２，３１２−１，３１２−２）を備え、前記保持装置は、前記第１孔部に挿通され、前記第１孔部の上側内側面及び左右方向外側の内側面に当接する第１保持部（２１，３２１）と、前記第２孔部に挿通され、前記第２孔部の上側内側面に当接する第２保持部（２２，３２２）と、前記第２保持部の左右方向外側の側面と、前記第２孔部の左右方向外側の内側面との間に圧入され、光学シートの前記上辺部を左右方向に引っ張る弾性部材（２５，３２５）とを備えること、を特徴とする光学シート及び保持装置の組み合わせである。
第２の発明は、第１の発明の光学シート及び保持装置の組み合わせにおいて、前記光学シート（１０，３１０−１，３１０−２）は、下辺部（１６，３１６）の両端部にそれぞれ設けられ、前記法線方向に貫通し、左右方向において前記第１孔部側に設けられた第３孔部（１３，３１３−１，３１３−２）、及び前記第２孔部側に設けられた第４孔部（１４，３１４−１，３１４−２）を備え、前記保持装置（２０，３２０）は、前記第３孔部に挿通され、前記第３孔部の左右方向外側の内側面に当接し、前記第３孔部の上側内側面との間に隙間を有する第３保持部（２３，３２３）と、前記第４孔部に挿通され、前記第４孔部の内側面との間に隙間を有する第４保持部（２４，３２４）と、前記第４保持部の左右方向外側の側面と、前記第４孔部の左右方向外側の内側面との間に圧入され、光学シートの前記下辺部を左右方向に引っ張る弾性部材（２６，３２６）とを備えること、を特徴とする光学シート及び保持装置の組み合わせである。
第３の発明は、透過表示部の背面に配置され、光源が縁部近傍に配置され、使用時に表面の法線方向が水平方向になるように配置される光学シート（２１０）と、前記光学シートを保持する保持装置（２２０）の組み合わせであって、前記光学シートは、上辺部（２１５）の両端部にそれぞれ設けられ、前記法線方向に貫通し、第１孔部（２１１）及び第２孔部（１２）を備え、前記保持装置は、前記第１孔部に挿通され、前記第１孔部の上側内側面に当接する第１保持部（２２１）と、前記第２孔部に挿通され、前記第２孔部の上側内側面に当接する第２保持部（２２）と、前記第１保持部の左右方向外側の側面と、前記第１孔部の外側の内側面との間、前記第２保持部の左右方向外側の側面と、前記第２孔部の左右方向外側の内側面との間にそれぞれ圧入され、光学シートの前記上辺部を左右方向に引っ張る弾性部材（２２７，２５）とを備えること、を特徴とする光学シート及び保持装置の組み合わせである。
第４の発明は、第３の発明の光学シート及び保持装置の組み合わせにおいて、前記光学シート（２１０）は、下辺部（２１６）の両端部にそれぞれ設けられ、前記法線方向に貫通した第３孔部（２１３）及び第４孔部（１４）を備え、前記保持装置は、前記第３孔部に挿通され、前記第３孔部の内側面との間に隙間を有する第３保持部（２２３）と、前記第４孔部に挿通され、前記第４孔部の内側面との間に隙間を有する第４保持部（２４）と、前記第３保持部の左右方向外側の側面と、前記第３孔部の左右方向外側の内側面との間、前記第４保持部の左右方向外側の側面と、前記第４孔部の左右方向外側の内側面との間にそれぞれ圧入され、光学シートの前記下辺部を左右方向に引っ張る弾性部材（２２８，２６）とを備えること、を特徴とする光学シート及び保持装置の組み合わせである。
第５の発明は、第１から第４までのいずれかの発明の光学シート及び保持装置の組み合わせにおいて、前記弾性部材（２５，２６，２２７，２２８，３２５，３２６）は、ゴム部材であること、を特徴とする光学シート及び保持装置の組み合わせである。
第６の発明は、第５の発明の光学シート及び保持装置の組み合わせにおいて、前記光学シート（３１０−１，３１０−２）は、重ね合わされて複数設けられ、それぞれが前記各貫通孔（３１１−１，３１１−２，３１２−１，３１２−２，３１３−１，３１３−２，３１４−１，３１４−２）を備え、前記保持装置（３２０）の前記各保持部（３２１，３２２，３２３，３２４）は、前記複数の前記光学シートの前記各貫通孔に挿通され、前記複数の前記光学シートの保持部を兼用すること、を特徴とする光学シート及び保持装置の組み合わせである。
【０００７】
第７の発明は、第１から第６までのいずれかの発明の光学シート及び保持装置の組み合わせと、前記光学シート（１０，２１０，３１０−１，３１０−２）の背面側に設けられた導光板（３）と、前記導光板の縁部近傍に配置され、前記導光板縁部側面に光を入光する光源（２）と、を備える面光源装置である。
第８の発明は、第７の発明の面光源装置において前記光源（２）は、前記導光板（３）の上側縁部近傍及び下側縁部近傍の少なくとも１つに配置されていること、を備える面光源装置である。
【０００８】
第９の発明は、第７又は第８の発明の面光源装置と、前記光学シートの表面側に設けられた透過型表示部（３０）と、を備える表示装置である。
【発明の効果】
【０００９】
本発明によれば、以下の効果を奏することができる。
第１の発明は、保持装置の第１孔部及び第２保持部が、光学シートの第１孔部及び第２孔部の上側内側面に当接して、光学シートの鉛直方向に保持できる。また、第１保持部が第１孔部の左右方向外側の内側面に当接し、かつ、第２保持部の左右方向外側の側面と、第２孔部の左右方向外側の内側面との間に圧入された弾性部材を備えるので、光学シートと他の部材との間に摩擦等があっても、光学シートの上辺部を左右方向に引っ張って、上辺部及びその近傍のたわみの発生を抑えることができる。
【００１０】
第２の発明は、第３保持部が第３孔部の左右方向外側の内側面に当接し、第４保持部の左右方向外側の側面と、第４孔部の左右方向外側の内側面との間に圧入された弾性部材を備えるので、光学シートの下辺部を左右方向に引っ張って、下辺部及びその近傍のたわみの発生を抑えることができる。
また、第３保持部が第３孔部の上側内側面との間に隙間を有し、第４保持部が第４孔部の上側内側面との間に隙間を有するので、光学シートは、下辺部の下側への動きがフリーになる。このため、光学シートは、熱膨張によって下側に伸びても、自重によって下側に引っ張られ、たわみ発生を抑えることができる。
【００１１】
第３の発明は、第１保持部の左右方向外側の側面と、第１孔部の外側の内側面との間に加えて、第２保持部の左右方向外側の側面と、第２孔部の外側の内側面との間にも弾性部材を備えるので、第１の発明と同様に、光学シートの上辺部を左右方向に引っ張って、上辺部及びその近傍のたわみの発生を抑えることができる。
第４の発明は、第３保持部の外側の側面と、第３孔部の外側の内側面との間に加えて、第４保持部の外側の側面と、第４孔部の外側の内側面との間にも弾性部材を備えるので、第２の発明と同様に、光学シートの下辺部を左右方向に引っ張って、下辺部及びその近傍のたわみの発生を抑えることができる。また、第３保持部が第３孔部の内側面との間に隙間を有し、第４保持部が、第４孔部の内側面との間に隙間を有するので、第２の発明と同様に、光学シートは、自重によって下側に引っ張られ、たわみ発生を抑えることができる。
【００１２】
第５の発明は、弾性部材は、ゴム部材であるので、小さい隙間であっても挿入できる。
第６の発明は、光学シートが重ね合わされて複数設けられていても、保持装置の各保持部が、複数の光学シートの各貫通孔に挿通され、複数の光学シートの保持部を兼用するので、構造を簡単にできる。この場合であっても、弾性部材がゴム部材であるので、重ね合わされた光学シートの変形量を、ある程度吸収できる。
【００１３】
第７の発明は、光源が導光板の縁部近傍に配置され、導光板縁部側面に光を入光する面光原装置であるので、光学シート近傍に光源近傍配置され熱膨張しても、上記第１から第６の発明と同様な効果によって光学シートのたわみ発生を抑えることができる。
第８の発明は、光源は、導光板の上側縁部近傍及び下側縁部近傍の少なくとも１つに配置される構成によって、光源の発熱によって、光学シートの上辺部、下辺部が加熱され熱膨張する構成であっても、上記第１から第６の発明と同様な効果によって光学シートのたわみ発生を抑えることができる。
【００１４】
第９の発明は、第７又は第８の発明の面光源装置と、透過型表示部とを備える表示装置であるので、上記第１から第６の発明と同様な効果を奏する。また、色ムラを低減した表示画面を、透過型表示部に表示できる。
【図面の簡単な説明】
【００１５】
【図１】第１実施形態の表示装置１の三面図である。
【図２】第１実施形態の光学シート１０の保持構造を説明する図である。
【図３】第１実施形態の光学シート１０内に働く張力について説明する図である。
【図４】第２実施形態の表示装置２０１の正面図である。
【図５】第３実施形態の表示装置３０１の正面図及び断面図である。
【図６】第３実施形態の拡散板３１０−１、プリズムシート３１０−２の保持構造を説明する図である。
【発明を実施するための形態】
【００１６】
（第１実施形態）
図面等を参照して、本発明の第１実施形態について説明する。
図１は、第１実施形態の表示装置１の三面図である。
図１（ａ）は、正面図である。
図１（ｂ）は、下側Ｚ１から見た断面図（図１（ａ）のＢ−Ｂ部矢視断面図）である。
図１（ｃ）は、右側Ｘ２から見た断面図（図１（ａ）のＣ−Ｃ部矢視断面図）である。
図２は、第１実施形態の光学シート１０の保持構造を説明する図である。
図２（ａ）〜図２（ｄ）は、それぞれ図１（ａ）の部分拡大図、ａ〜ｄ部矢視断面図である。
なお、図中及び以下の説明において、表示装置１使用時において、観察者がＬＣＤパネル３０を正面から観察した場合の左右方向をＸ、奥行方向ＹをＹ、鉛直方向をＺとする。従って、観察者は、手前側Ｙ１から奥側Ｙ２に向けて、ＬＣＤパネル３０の表示を視認する。また、左右方向Ｘは、水平方向であり、奥行方向Ｙは、水平方向であり観察方向である。
【００１７】
表示装置１は、ＬＥＤ（発光ダイオード）照光装置２、導光板３、光学シート１０、保持筐体２０、上弾性部材２５、下弾性部材２６、ＬＣＤパネル３０（透過表示部）を備える。
導光板３、光学シート１０、ＬＣＤパネル３０は、奥行方向Ｙの奥側Ｙ２（背面側）から手前側Ｙ１に向けて、この順番で配置されている。
【００１８】
ＬＥＤ照光装置２は、ＬＣＤパネル３０を照光する光源である。ＬＥＤ照光装置２は、導光板３の上側縁部近傍及び下側縁部近傍にそれぞれ配置されている。ＬＥＤ照光装置２は、左右方向Ｘに配列された複数のＬＥＤ２ａを備える。ＬＥＤ照光装置２は、導光板３の下側Ｚ１及び上側Ｚ２の縁部側面に光を入光する。
導光板３は、光学シート１０の背面側に設けられている。導光板３は、ＬＥＤ照光装置２の光線が、上側面及び下側面から入射される。導光板３は、保持構造（図示せず）によって保持される。
【００１９】
光学シート１０は、ＬＣＤパネル３０の背面側Ｙ２、つまり、導光板３の手前側Ｙ１に配置されている。光学シート１０は、導光板３からの光線を拡散等して、光ムラを低減して、ＬＣＤパネル３０に導く。光学シート１０は、例えば、拡散シート、プリズムシート等である。光学シート１０は、厚みが導光板３に比べると十分に薄い樹脂シートであり、剛性が低い。
なお、表示装置１は、上記部材の他に、乳白シート等のシート部材を備えるが、簡略して図示及び説明を省略する。
【００２０】
光学シート１０を正面から見た形状は、左右方向Ｘに長いほぼ長方形である。光学シート１０は、ＬＥＤ照光装置２が縁部近傍に配置され、使用時に表面（観察面）の法線方向が手前側Ｙになるように配置される。光学シート１０のコーナ部には、左右方向Ｘに突出するような耳が設けられ、これらにそれぞれ、奥行方向Ｙに貫通する第１孔部１１、第２孔部１２、第３孔部１３、第４孔部１４が設けられている。
第１孔部１１、第２孔部１２、第３孔部１３、第４孔部１４は、正面から見た開口形状が、各辺が左右方向Ｘ又は鉛直方向Ｚに平行な長方形である。
第１孔部１１、第２孔部１２は、光学シート１０の上辺部１５の左端及び右端に設けられている。
第３孔部１３、第４孔部１４は、光学シート１０の下辺部１６の左端及び右端に設けられている。
【００２１】
保持筐体２０は、光学シート１０を保持する部材である。また、保持筐体２０は、板状の部材であり、各シートを収容するための凸部（図示せず）が周囲に設けられている。保持筐体２０は、ＬＥＤ照光装置２の発熱によって加熱されても、十分に強度を維持できる材料により形成されている。
保持筐体２０は、第１保持部２１、第２保持部２２、第３保持部２３、第４保持部２４を備える。
第１保持部２１、第２保持部２２、第３保持部２３、第４保持部２４は、光学シート１０の第１孔部１１、第２孔部１２、第３孔部１３、第４孔部１４に対応した位置に配置されている。第１保持部２１、第２保持部２２、第３保持部２３、第４保持部２４は、保持筐体２０本体から手前側Ｙ１に突出し、各側面が水平面（ＸＹ平面）又は鉛直面（ＹＺ平面）に平行な角柱状であり、第１孔部１１、第２孔部１２、第３孔部１３、第４孔部１４が手前側Ｙ１に貫通（挿通）されている。
【００２２】
手前側Ｙ１から見た第１保持部２１、第２保持部２２、第３保持部２３、第４保持部２４の形状について説明する。
図２に示すように、第１保持部２１の上側面２１Ｕ及び左側面２１Ｌは、第１孔部１１の上側内側面１１Ｕ及び左側内側面１１Ｌに当接する。第１保持部２１の下側面２１Ｄ及び右側面２１Ｒは、第１孔部１１の内側面との間に十分な隙間を有している。
第２保持部２２の上側面２２Ｕは、第２孔部１２の上側内側面１２Ｕに当接する。第２保持部２２の他の側面、つまり、下側面２２Ｄ、左側面２２Ｌ、右側面２２Ｒは、第２孔部１２の内側面との間に十分な隙間を有している。
なお、後述するように、第２保持部２２の右側面２２Ｒ（左右方向外側の側面）及び第２孔部１２の右側内側面１２Ｒ（左右方向外側の内側面）との間には、上弾性部材２５が圧入されている。
【００２３】
第３保持部２３の左側面２３Ｌは、第３孔部１３の左側内側面１３Ｌに当接する。第３保持部２３の他の側面、つまり、上側面２３Ｕ、下側面２３Ｄ、右側面２３Ｒは、第３孔部１３の内側面との間に十分な隙間を有している。
第４保持部２４の全ての側面は、第４孔部１４の全ての内側面との間に十分な隙間を有する。なお、後述するように、第４保持部２４の右側面２４Ｒ（左右方向外側の側面）と、第４孔部１４の右側内側面１４Ｒ（左右方向外側の内側面）との間には、下弾性部材２６が圧入されている。
【００２４】
上弾性部材２５、下弾性部材２６は、ゴム状の部材であり、例えば、αゲル（登録商標）等のクッション材を利用できる。
保持筐体２０、上弾性部材２５、下弾性部材２６は、光学シート１０を保持する保持装置を構成する。また、この保持装置と、光学シート１０との組み合わせは、１つの光学ユニットを構成する。
上弾性部材２５は、第２保持部２２の右側面２２Ｒと、第２孔部１２の右側内側面１２Ｒとの間に圧入される。上弾性部材２５の鉛直方向Ｚの大きさは、第２保持部２２よりも小さい。これは、第２保持部２２の上側面２２Ｕが、第２孔部１２の上側内側面１２Ｕに当接できるようにするためである。
同様に、下弾性部材２６は、第４保持部２４の右側面２４Ｒと、第４孔部１４の右側内側面１４Ｒとの間に圧入され、鉛直方向Ｚの大きさが、第４保持部２４よりも小さい。
上弾性部材２５、下弾性部材２６は、ゴム部材であるので、例えば圧縮コイルバネのようなバネ部材に比べると、小さい隙間であっても配置できる。
【００２５】
図１に示すように、ＬＣＤパネル３０は、光学シート１０の手前側Ｙ１に配置され、保持構造（図示せず）によって保持される。ＬＣＤパネル３０は、液晶表示装置のパネル部分である。ＬＣＤパネル３０は、透過型であるので、光学シート１０によって拡散された光によって、背面側Ｙ２から照明されて、観察者がその表示内容を視認できる。
【００２６】
図２、図３を参照して、光学シート１０に保持構造について詳細に説明する。
図３は、第１実施形態の光学シート１０内に働く張力について説明する図である。
（左右方向Ｘの保持）
図２に示すように、光学シート１０は、第１保持部２１の左側面２１Ｌが第１孔部１１の左側内側面１１Ｌに当接し、かつ、第２保持部２２の右側面２２Ｒには、第２孔部１２の右側内側面１２Ｒとの間の上弾性部材２５が圧入されている。
図３（ａ）に示すように、このため、光学シート１０の上辺部１５、つまり上辺の近傍の部分は、第１孔部１１が位置決めされ、上弾性部材２５の弾力によって、第２孔部１２が右側Ｘ２に引っ張られる（矢印Ｆ１参照）。このため、上辺部１５は、左右方向Ｘに引っ張られ、左右方向Ｘの張力Ｆ１５が発生する。
【００２７】
同様に、光学シート１０は、第３保持部２３の左側面２３Ｌが第３孔部１３の左側内側面１３Ｌに当接し、かつ、第４保持部２４の右側面２４Ｒには、第４孔部１４の右側内側面１４Ｒとの間の下弾性部材２６が圧入されている。このため、下辺部１６は、第３孔部１３が位置決めされ、第４孔部１４が右側に引っ張られる（矢印Ｆ２参照）。このため、下辺部１６は、左右方向Ｘに引っ張られ、左右方向Ｘの張力Ｆ１６が発生する。
【００２８】
（鉛直方向Ｚの保持）
図２に示すように、第１保持部２１の上側面２１Ｕは、第１孔部１１の上側内側面１１Ｕに当接し、第２保持部２２の上側面２２Ｕは、第２孔部１２の上側内側面１２Ｕに当接する。また、第３保持部２３は、第３孔部１３の内側面との間に鉛直方向Ｚに隙間を有し、第４保持部２４は、第４孔部１４の内側面との間に鉛直方向Ｚに隙間を有している。
つまり、光学シート１０は、第１孔部１１及び第２孔部１２を基準にして、鉛直方向Ｚにフリーである。
図３（ａ）に示すように、このため、光学シート１０は、第１孔部１１、第２孔部１２が、第１孔部１１、第２孔部１２に引っ掛けられるようにして、保持筐体２０に保持される。この場合、光学シート１０は、自重によって、鉛直方向Ｚに張力Ｆ１７が働く。
【００２９】
以上のように、光学シート１０は、保持筐体２０に保持される場合に、左右方向Ｘにおいては、第１孔部１１、第３孔部１３を基準にして、上辺部１５及び下辺部１６が左右方向Ｘに引っ張られて張力Ｆ１５，Ｆ１６が働き、一方、鉛直方向Ｚにおいては、第１孔部１１、第２孔部１２を基準にして、鉛直方向Ｚに引っ張られて張力Ｆ１７が働く。
【００３０】
次に、ＬＥＤ照光装置２の発熱により光学シート１０が熱膨張しても、光学シート１０のたわみ発生が抑制されることについて説明する。
図１で説明したように、ＬＥＤ照光装置２は、導光板３の上側縁部及び上側縁部近傍に配置されているので、光学シート１０の上辺部１５近傍及び下辺部１６近傍に配置されることになる。この場合、上辺部１５及び下辺部１６は、ＬＥＤ照光装置２の発熱によって加熱され、熱膨張する。下側Ｚ１に配置されたＬＥＤ照光装置２の熱は、表示装置１内部を上昇するので、上辺部１５は、特に膨張量が大きい。
図３（ｂ）の曲線Ｌ１，Ｌ２で示すように、光学シート１０は、剛性が低いため、熱膨張すれば重力の作用によって、手前側Ｙ１又は奥側Ｙ２に倒れ込むようにして浮き上がり、たわみが発生しようとする。なお、このような浮き上がりは、光学シート１０の成形ひずみも要因となる場合もある。
【００３１】
光学シート１０の上辺部１５及び下辺部１６は、熱膨張しても、左右方向Ｘに張力Ｆ１５，Ｆ１６が働いているので、左右方向Ｘの熱膨張に起因するたわみ発生を抑えることができる。なお、上弾性部材２５、下弾性部材２６は、光学シート１０の上辺部１５及び下辺部１６が熱膨張することによって、上弾性部材２５、下弾性部材２６は、伸長する。このため、上弾性部材２５、下弾性部材２６は、十分に弾力を発生できる物性のものが選択され、また、大きさが設定されている。
【００３２】
また、光学シート１０が熱膨張することにより、鉛直方向Ｚに膨張しても、第１孔部１１及び第２孔部１２を基準にして、鉛直方向Ｚにフリーであるので、自重によって張力Ｆ１７が働き、鉛直方向Ｚの熱膨張に起因するたわみ発生を抑えることができる。なお、光学シート１０が鉛直方向Ｚに熱膨張することにより、第３孔部１３と第３保持部２３との隙間が小さくなる。このため、第３孔部１３と第３保持部２３は、光学シート１０が鉛直方向Ｚに熱膨張しても十分な隙間を有するように設定されている。第４孔部１４、第４保持部２４についても、同様である。
【００３３】
以上説明したように、本実施形態の表示装置１は、ＬＥＤ照光装置２の発熱によって、光学シート１０が熱膨張しても、光学シート１０のたわみ発生を抑えることができる。これにより、光学シート１０の光ムラの発生を抑え、色ムラを低減した表示画面をＬＤＣパネル３０に表示できる。
【００３４】
（第２実施形態）
次に、本発明の第２実施形態について説明する。
なお、以下の説明及び図面において、前述した第１実施形態と同様の機能を果たす部分には、同一の符号又は末尾に同一の符号を付して、重複する説明を適宜省略する。
図４は、第２実施形態の表示装置２０１の正面図である。
表示装置２０１は、上弾性部材２５，２２７、下弾性部材２６，２２８を備える。
上弾性部材２２７は、光学シート２１０の第１孔部２１１の左側面２１１Ｌと、保持筐体２２０の第１保持部２２１の左側内側面２２１Ｌとの間に圧入されている。
下弾性部材２２８は、光学シート２１０の第３孔部２１３の左側面２１３Ｌと、保持筐体２２０の第３保持部２２３の左側内側面２２３Ｌとの間に圧入されている。
【００３５】
光学シート２１０の上辺部２１５は、上弾性部材２５，２２７によって、張力Ｆ２１５が発生し、一方、下辺部２１６は、下弾性部材２６，２２８によって、張力Ｆ２１６が発生する。また、光学シート２１０は、鉛直方向Ｚには、第１実施形態と同様に、張力Ｆ２１７が発生する。
【００３６】
以上の構成によって、光学シート２１０は、上辺部２１５、下辺部２１６に張力Ｆ２１５，Ｆ２１６が働き、また、鉛直方向Ｚに張力Ｆ２１７が働き、第１実施形態と同様に、たわみ発生を抑えることができる。
【００３７】
（第３実施形態）
次に、本発明の第３実施形態について説明する。
図５は、第３実施形態の表示装置３０１の正面図及び断面図である。
図５（ａ）は、正面図である。
図５（ｂ）は、下側Ｚ１から見た断面図（図５（ａ）のＢ−Ｂ部矢視断面図）である。
図６は、第３実施形態の拡散板３１０−１、プリズムシート３１０−２の保持構造を説明する図である。
図６（ａ）〜図６（ｄ）は、それぞれ図５（ａ）の部分拡大図、図５（ａ）のａ〜ｄ部矢視断面図である。
【００３８】
図５（ｂ）に示すように、表示装置３０１は、光学シートとして、拡散板３１０−１、プリズムシート３１０−２を備える。拡散板３１０−１、プリズムシート３１０−２は、奥側Ｙ２から手前側Ｙ１に向けて、この順番に重ね合わされて配置されている。
図５（ａ）、図６に示すように、拡散板３１０−１、プリズムシート３１０−２は、それぞれ第１孔部３１１−１，３１１−２、第２孔部３１２−１，３１２−２、第３孔部３１３−１，３１３−２、第４孔部３１４−１，３１４−２を備えている。
そして、保持筐体３２０は、第１保持部３２１が第１孔部３１１−１，３１１−２に挿通され、第２保持部３２２が第２孔部３１２−１，３１２−２に挿通され、第３保持部３２３が第３孔部３１３−１，３１３−２に挿通され、第４保持部３２４が第４孔部３１４−１，３１４−２に挿通されている。これにより、保持筐体３２０の各保持部が、兼用して拡散板３１０−１、プリズムシート３１０−２を保持できる。
なお、拡散板３１０−１、プリズムシート３１０−２、保持筐体３２０の保持構造の正面から見た形状は、第１実施形態の光学シート１０、保持筐体２０と同様であるので、詳細な説明を省略する。
【００３９】
図６（ｂ）に示すように、拡散板３１０−１、プリズムシート３１０−２は、異なる物性を有するので、熱膨張による伸長量が異なる。
この場合であっても、上弾性部材３２５は、ゴム部材であるので、重ね合わされた拡散板３１０−１、プリズムシート３１０−２の左右方向Ｘの変形量が異なっても、変形量の差異をある程度吸収できる。つまり、上弾性部材３２５は、力を受けた場合に、力を受けた部分が大きく変形しても、全体が大きく変形することがないので、拡散板３１０−１、プリズムシート３１０−２の変形量にならって変形できる。
同様に、図６（ｄ）に示すように、下弾性部材３２６は、拡散板３１０−１、プリズムシート３１０−２の変形量が異なっても、ある程度吸収できる。
【００４０】
図５（ａ）に示すように、これにより、拡散板３１０−１の上辺部３１５及び下辺部３１６、プリズムシート３１０−２の上辺部３１５及び下辺部３１６は、それぞれ左右方向Ｘに張力Ｆ３２５，Ｆ３２６が働く。
なお、拡散板３１０−１、プリズムシート３１０−２は、鉛直方向Ｚには、第１実施形態と同様に、それぞれ張力Ｆ３２７が働く。
【００４１】
以上説明したように、本実施形態の表示装置３０１は、拡散板３１０−１、プリズムシート３１０−２に張力Ｆ３２５，Ｆ３２６，Ｆ３２７を働かせて、第１実施形態と同様に、熱膨張にともなうたわみ発生を抑えることができる。
また、表示装置３０１は、保持筐体３２０の各保持部が、複数の光学シートを兼用して保持できるので、部品を増やすことなく、構造を簡単にできる。
【００４２】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
例えば、表示装置は、第２実施形態のような両端に弾性部材を備える構成に対して、第３実施形態のような複数の光学シートを備える構成を適用してもよい。
【００４３】
（変形形態）
（１）本実施形態において、ＬＥＤ照光装置は、光学シートの上下に配置されている例を示したが、これに限定されない。例えば、ＬＥＤ照光装置は、光学シートの上下のいずれか一方に配置されていてもよい。
ＬＥＤ照光装置が光学シートの上側に配置されている場合には、重力による影響によった倒れやすい光学シートの上辺部のたわみ発生を効率的に抑えることができる。また、ＬＥＤ照光装置が光学シートの下側に配置されている場合には、光学シートの下辺部のたわみ発生を抑えることができるし、ＬＥＤ照光装置の発熱が、表示装置内を上昇して光学シートの上辺部が熱膨張した場合でも、上辺部のたわみ発生を抑えることができる。
さらに、ＬＥＤ照光装置は、光学シートの左右に配置されていてもよい。この場合であっても、光学シートの左辺部、右辺部が熱膨張しても、鉛直方向のたわみ発生を抑えることができる。
【００４４】
（２）本実施形態において、導光板の側面から光を入光させる、いわゆるエッジライト方式のバックライトの例を示したが、これに限定されない。例えば、導光板の背面側から光を照射する、いわゆる直下型方式のバックライトであってもよい。
【００４５】
（３）本実施形態において、光学シートは、左右方向に横長の長方形である例を示したが、これに限定されない。例えば、光学シートは、鉛直方向に縦長の長方形であってもよい。
【符号の説明】
【００４６】
１，２０１，３０１…表示装置
２…ＬＥＤ照光装置
３…導光板
１０，２１０…光学シート
２０，２２０，３２０…保持筐体
３０…ＬＣＤパネル
１１，２１１，３１１−１，３１１−２…第１孔部
１２，３１２−１，３１２−２…第２孔部
１３，２１３，３１３−１，３１３−２…第３孔部
１４，３１４−１，３１４−２…第４孔部
２１，２２１，３２１…第１保持部
２２，３２２…第２保持部
２３，２２３，３２３…第３保持部
２４，３２４…第４保持部
２５，２２７，３２５…上弾性部材
２６，２２８，３２６…下弾性部材
３１０−１…拡散板
３１０−２…プリズムシート
【図１】
2012186076.tif 000003
【図２】
2012186076.tif 000004
【図３】
2012186076.tif 000005
【図４】
2012186076.tif 000006
【図５】
2012186076.tif 000007
【図６】
2012186076.tif 000008